【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  光又は無線を用いてワイヤレス通信を行う第１の機能と、前記ワイヤレス通信とは異なる第２の機能とを有する機能素子を複数備えた機能素子群を含み、
前記機能素子群は、個々の前記機能素子の前記第２の機能が単一機能であるとともに、個々の前記機能素子が前記第２の機能によりそれぞれ取得した情報を前記第１の機能を用いて統括することにより、全体としての前記第２の機能を果たすことを特徴とする無線通信装置。
【請求項２】  前記第２の機能は、特定の物理量を測定するセンシング機能であることを特徴とする請求項１に記載の無線通信装置。
【請求項３】  前記機能素子群を構成する個々の前記機能素子を一括して管理する親基地を備えており、
前記親基地は、前記各機能素子との間で前記ワイヤレス通信を行って前記機能素子群を制御し、又はデータ受信をすることを特徴とする請求項１又は２に記載の無線通信装置。
【請求項４】  前記機能素子群は、個々の前記機能素子間で前記第１の機能による前記ワイヤレス通信を行うネットワークシステムを構成することを特徴とする請求項１〜３のいずれか１項に記載の無線通信装置。
【請求項５】  個々の前記機能素子は、それぞれ前記第２の機能が相異なる種類の物理量を測定するセンシング機能であることを特徴とする請求項２〜４のいずれか１項に記載の無線通信装置。
【請求項６】  個々の前記機能素子は、それぞれ前記第２の機能が同一の物理量を測定する機能であり、
前記機能素子群は、全体として個々の前記機能素子よりも広い測定範囲の測定ができることを特徴とする請求項２〜４のいずれか１項に記載の無線通信装置。
【請求項７】  個々の前記機能素子は、その動作環境が異なることを特徴とする請求項６に記載の無線通信装置。
【請求項８】  個々の前記機能素子は、その測定対象が異なることを特徴とする請求項６又は７に記載の無線通信装置。
【請求項９】  前記機能素子群を構成する少なくとも１つの前記機能素子は、その測定対象を化学物質のイオン種とすることを特徴とする請求項１〜８のいずれか１項に記載の無線通信装置。
【請求項１０】  個々の前記機能素子が測定する物理量の種類に応じて、異なる種類の前記第２の機能を有する前記機能素子の配置される個数の比率が調節されることを特徴とする請求項２〜９のいずれか１項に記載の無線通信装置。
【請求項１１】  光又は無線を用いてワイヤレス通信を行う第１の機能と、前記ワイヤレス通信とは異なる第２の機能とを有する機能素子を複数備えた機能素子群を含む無線通信装置の駆動方法において、
個々の前記機能素子の前記第２の機能は単一機能であり、
個々の前記機能素子が前記第２の機能によりそれぞれ取得した情報を前記第１の機能を用いて統括することにより、全体としての前記第２の機能を実行することを特徴とする無線通信装置の駆動方法。
【請求項１２】  前記第２の機能は、特定の物理量を測定するセンシング機能であることを特徴とする請求項１１に記載の無線通信装置の駆動方法。
【請求項１３】  前記無線通信装置は、前記機能素子群を構成する個々の前記機能素子を一括して管理する親基地を備えており、
前記親基地を用い、前記各機能素子との間で前記ワイヤレス通信を行って前記機能素子群を制御し、又はデータ受信を行うことを特徴とする請求項１１又は１２に記載の無線通信装置の駆動方法。
【請求項１４】  前記機能素子群は、個々の前記機能素子間で前記第１の機能による前記ワイヤレス通信を行うネットワークシステムを構成することを特徴とする請求項１１〜１３のいずれか１項に記載の無線通信装置の駆動方法。
【請求項１５】  個々の前記機能素子は、それぞれ前記第２の機能が相異なる種類の物理量を測定するセンシング機能であることを特徴とする請求項１２〜１４のいずれか１項に記載の無線通信装置の駆動方法。
【請求項１６】  個々の前記機能素子は、それぞれ前記第２の機能が同一の物理量を測定する機能であり、
前記機能素子群は、全体として個々の前記機能素子よりも広い測定範囲の測定を実行することを特徴とする請求項１２〜１４のいずれか１項に記載の無線通信装置の駆動方法。
【請求項１７】  異なる動作環境に個々の前記機能素子を配設することを特徴とする請求項１６に記載の無線通信装置の駆動方法。
【請求項１８】  個々の前記機能素子の測定対象を異ならしめることを特徴とする請求項１６又は１７に記載の無線通信装置の駆動方法。
【請求項１９】  前記機能素子群を構成する少なくとも１つの前記機能素子の測定対象を化学物質のイオン種とすることを特徴とする請求項１１〜１８のいずれか１項に記載の無線通信装置の駆動方法。
【請求項２０】  個々の前記機能素子が測定する物理量の種類に応じて、異なる種類の前記第２の機能を有する前記機能素子の配置される個数の比率を調節することを特徴とする請求項１２〜１９のいずれか１項に記載の無線通信装置の駆動方法。
【請求項２１】  前記機能素子群のうち、前記第２の機能が測定する物理量に対応する前記機能素子のみを駆動させ、他の前記機能素子の駆動を休止させることを特徴とする請求項１１〜２０のいずれか１項に記載の無線通信装置の駆動方法。
【手続補正２】
【補正対象書類名】明細書
【補正対象項目名】００１０
【補正方法】変更
【補正の内容】
【００１０】
【課題を解決するための手段】
本発明の無線通信装置は、光又は無線を用いてワイヤレス通信を行う第１の機能と、前記ワイヤレス通信とは異なる第２の機能とを有する機能素子を複数備えた機能素子群を含み、前記機能素子群は、個々の前記機能素子の前記第２の機能が単一機能であるとともに、個々の前記機能素子が前記第２の機能によりそれぞれ取得した情報を前記第１の機能を用いて統括することにより、全体としての前記第２の機能を果たす。
【手続補正３】
【補正対象書類名】明細書
【補正対象項目名】００１９
【補正方法】変更
【補正の内容】
【００１９】
本発明の無線通信装置の一態様では、個々の前記機能素子が測定する物理量の種類に応じて、異なる種類の前記第２の機能を有する前記機能素子の配置される個数の比率が調節される。
【手続補正４】
【補正対象書類名】明細書
【補正対象項目名】００２０
【補正方法】変更
【補正の内容】
【００２０】
本発明の無線通信装置の駆動方法は、光又は無線を用いてワイヤレス通信を行う第１の機能と、前記ワイヤレス通信とは異なる第２の機能とを有する機能素子を複数備えた機能素子群を含む無線通信装置の駆動方法において、個々の前記機能素子の前記第２の機能は単一機能であり、個々の前記機能素子が前記第２の機能によりそれぞれ取得した情報を前記第１の機能を用いて統括することにより、全体としての前記第２の機能を実行する。
【手続補正５】
【補正対象書類名】明細書
【補正対象項目名】００２６
【補正方法】変更
【補正の内容】
【００２６】
本発明の無線通信装置の駆動方法の一態様では、異なる動作環境に個々の前記機能素子を配設する。
【手続補正６】
【補正対象書類名】明細書
【補正対象項目名】００２９
【補正方法】変更
【補正の内容】
【００２９】
本発明の無線通信装置の駆動方法の一態様では、個々の前記機能素子が測定する物理量の種類に応じて、異なる種類の前記第２の機能を有する前記機能素子の配置される個数の比率を調節する。
【手続補正７】
【補正対象書類名】明細書
【補正対象項目名】００３０
【補正方法】変更
【補正の内容】
【００３０】
本発明の無線通信装置の駆動方法の一態様では、前記機能素子群のうち、前記第２の機能が測定する物理量に対応する前記機能素子のみを駆動させ、他の前記機能素子の駆動を休止させる。